(57)【要約】【課題】左右２枚の外壁板の接合において間柱などを金具固定箇所として利用できる外壁固定金物を提供する。【解決手段】外壁固定金物１は、１枚の金属板をプレス加工によって形成してなるものであり、接合係止部１１が中央部１２を挟んで左右に２箇所形成されている。上記接合係止部１１は、外壁板が上下に接合されるように係止するものであり、下側に位置する外壁板を係止する下係止部１１ａと上側に位置する外壁板を係止する上係止部１１ｂとからなる。上記外壁固定金物１の中央部１２は、第１部位１２ａと第２部位１２ｂとからなる。そして、上記外壁固定金物１には、当該外壁固定金物１を部材（柱、胴縁）９に固定するための釘等の固定部材が装着される孔１３が上記中央部１２の両側に２箇所形成されている。【選択図】図３
2015021353.tif 000002
【特許請求の範囲】
【請求項１】
外壁板を上下に接合する外壁固定金物において、外壁板を上下に接合する接合係止部が中央部を挟んで左右に２箇所形成されていることを特徴とする外壁固定金物。
【請求項２】
請求項１に記載の外壁固定金物において、当該外壁固定金物を固定するための固定部材が装着される孔が少なくとも上記中央部に１箇所形成されていることを特徴とする外壁固定金物。
【請求項３】
請求項１に記載の外壁固定金物において、当該外壁固定金物を固定するための固定部材が装着される孔が少なくとも上記中央部の両側に２箇所形成されていることを特徴とする外壁固定金物。
【請求項４】
請求項１〜請求項３のいずれか１項に記載の外壁固定金物において、上記中央部の一部が、目地に設けられるハット型ジョイナーの裏面に位置し、上記中央部の他の一部が、上記ハット型ジョイナーの表側に位置することを特徴とする外壁固定金物。
【請求項５】
請求項１〜請求項３のいずれか１項に記載の外壁固定金物において、上記中央部が、目地に設けられるハット型ジョイナーに被さる形状を有することを特徴とする外壁固定金物。
【請求項６】
請求項１〜請求項３のいずれか１項に記載の外壁固定金物において、上記中央部が、目地に設けられるハット型ジョイナーとして機能することを特徴とする外壁固定金物。
【発明の詳細な説明】
【技術分野】
【０００１】
この発明は、外壁板を上下に接合する接合係止部を有する外壁固定金物に関する。
【背景技術】
【０００２】
特許文献１には、外壁板を複数枚上下合いじゃくり接合しつつ留め付け金具によって建物の構造躯体に留め付けてなる外壁施工構造において、該複数枚の外壁板のうち、上下幅を調整するために切断された切断端部を有する寸法調整外壁板については、該切断端部が端部施工金具によって構造躯体に固定されており、該端部施工金具は、構造躯体に固定される背板部と、該背板部の一端から前方へ屈曲した前方屈曲部と、を有し、該背板部を前記寸法調整外壁板の裏側面に接着させると共に、前方屈曲部を該寸法調整外壁板の切断端面に当接させている外壁施工構造が開示されている。
【０００３】
ところで、このような外壁施工構造では、図８に示しているように、隣り合う左右２枚の外壁板（サイディング）の接合箇所には、ハット型ジョイナー１０１を挟むようにして２個の外壁固定金物１０２が配置される。
【先行技術文献】
【特許文献】
【０００４】
【特許文献１】特開２００３−１３８６８５号公報
【発明の概要】
【発明が解決しようとする課題】
【０００５】
しかしながら、２枚の外壁固定金物１０２を横に並べて配置するためには、各々の外壁固定金物１０２をビス１０５により固定するため、幅のある部材（柱、通気胴縁）１０３が必要とされる。一般に、柱と柱の間には、間柱が存在しているが、その幅は上記幅のある部材１０３よりも狭いため、２枚の外壁固定金物１０２を設けるのには利用できないことが多い。このため、上記幅のある部材１０３の配置間隔よりも狭い外壁板を用いることができないという欠点があった。
【０００６】
この発明は、上記の事情に鑑み、左右２枚の外壁板の接合において間柱などを金具固定箇所として利用することができる外壁固定金物を提供することを課題とする。
【課題を解決するための手段】
【０００７】
この発明の外壁固定金物は、上記の課題を解決するために、外壁板を上下に接合する外壁固定金物において、外壁板を上下に接合する接合係止部が中央部を挟んで左右に２箇所形成されていることを特徴とする。
【０００８】
上記の構成であれば、左右２枚の外壁板の接合が１個の外壁固定金物における上記２箇所の接合係止部によって行えるようになる。そして、当該１個の外壁固定金物の固定に間柱など幅が狭い部材を利用できるので、外壁板の無駄の発生を軽減できる。
【０００９】
当該外壁固定金物を固定するための固定部材が装着される孔が少なくとも上記中央部に１箇所形成されていてもよい。或いは、当該外壁固定金物を固定するための固定部材が装着される孔が少なくとも上記中央部の両側に２箇所形成されていてもよい。
【００１０】
上記中央部の一部が、目地に設けられるハット型ジョイナーの裏面に位置し、上記中央部の他の一部が、上記ハット型ジョイナーの表側に位置するようにしてもよい。或いは、上記中央部が、目地に設けられるハット型ジョイナーに被さる形状を有していてもよい。或いは、上記中央部が、目地に設けられるハット型ジョイナーとして機能するようにしてもよい。
【発明の効果】
【００１１】
本発明であれば、左右２枚の外壁板の接合において間柱などを金具固定箇所として利用でき、外壁板が無駄になるのを極力防止できるという効果を奏する。
【図面の簡単な説明】
【００１２】
【図１】本発明の実施形態にかかる外壁固定金物の正面図である。
【図２】図１の外壁固定金物の斜視図である。
【図３】図１の外壁固定金物の取付状態を示した説明図である。
【図４】図３の取付部の部分断面図である。
【図５】１本のハット型ジョイナーに複数の図１の外壁固定金物が装着された状態を示した説明図である。
【図６】本発明の他の実施形態にかかる外壁固定金物の取付状態を示した説明図である。
【図７】本発明の他の実施形態にかかる外壁固定金物の取付状態を示した説明図である。
【図８】従来の外壁固定金物の取付状態を示した説明図である。
【発明を実施するための形態】
【００１３】
以下、この発明の実施の形態を添付図面に基づいて説明する。
図１、図２、図３および図４に示すように、この実施形態の外壁固定金物１は、１枚の金属板をプレス加工によって形成してなるものであり、接合係止部１１が中央部１２を挟んで左右に２箇所形成されている。上記接合係止部１１は、外壁板２、３が上下に接合されるように係止するものであり、下側に位置する外壁板２を係止する下係止部１１ａと上側に位置する外壁板３を係止する上係止部１１ｂとからなる。これら下係止部１１ａおよび上係止部１１ｂは上記１枚の金属板の一部に切れ目を入れて上側に折り曲げるとともに、この上側に折り曲げられた部分の一部分にさらに切れ目を入れて下側に折り曲げたことにより形成されている。
【００１４】
上記中央部１２は、第１部位１２ａと第２部位１２ｂとからなる。上記第１部位１２ａは当該外壁固定金物１の上端辺部および下端辺部をなす２箇所に形成されており、当該２箇所の第１部位１２ａによって上記２箇所の接合係止部１１の形成領域が接続されている。一方、上記第２部位１２ｂは、上記の上下に位置する第１部位１２ａ間に位置し左右方向に離間して２個設けられている。
【００１５】
上記２個の第１部位１２ａは平板部となっており、目地部に設けられるハット型ジョイナー４の裏面側に位置することができる。一方、上記２個の第２部位１２ｂは、プレス加工で凸状に形成されており、上記ハット型ジョイナー４の表側に位置することができる。上記ハット型ジョイナー４の凸部は上記２個の第２部位１２ｂ間に位置することになる。
【００１６】
上記外壁固定金物１には、当該外壁固定金物１を部材（柱、通気胴縁）９に固定するための釘等の固定部材が装着される孔１３が少なくとも上記中央部１２の両側となる箇所に２箇所形成されている。より詳細には、上記第２部位１２ｂの上部側の凸部起点箇所の近傍に上記孔１３が形成されている。もちろん、上記孔１３を多く形成しておいて必要な孔１３を適宜選択できるようにしておいてもよい。また、図では上記ハット型ジョイナー４に重ならないように上記孔１３を位置させたが、上記孔１３が上記ハット型ジョイナー４に重なるように位置させてもよい。
【００１７】
上記の構成であれば、左右２枚の外壁板の接合が１個の外壁固定金物１における上記２箇所の接合係止部１１によって行える。そして、当該１個の外壁固定金物１の固定に間柱など幅が狭い部材を利用できるので、外壁板の無駄の発生を軽減することができる。
【００１８】
なお、図５に示すように、上記ハット型ジョイナー４には、当該ハット型ジョイナー４が上記部材９に取り付けられる前に、複数の外壁固定金物１が事前に装着されるようにしている。すなわち、複数の外壁固定金物１における上記第１部位１２ａと第２部位１２ｂとの隙間部分に上記ハット型ジョイナー４を差し込んでおき、１箇所での外壁板の装着作業が完了すると、次の位置に次の外壁固定金物１をスライドして固定するという作業が行われるようにしている。
【００１９】
次に、図６を用いてこの発明の他の実施形態の外壁固定金物５を説明する。この外壁固定金物５も、１枚の金属板をプレス加工によって形成してなるものであり、接合係止部５１が中央部５２を挟んで左右に２箇所形成されている。上記中央部５２は、上記１枚の金属板の一部が凸状に折り曲げ加工されてなる部分である。また、上記接合係止部５１は、外壁板２、３が上下に接合されるように係止するものであり、下側に位置する外壁板２を係止する下係止部５１ａと上側に位置する外壁板３を係止する上係止部５１ｂとからなる。これら下係止部５１ａおよび上係止部５１ｂは上記１枚の金属板の一部に切れ目を入れて上側に折り曲げるとともに、この上側に折り曲げられた部分の一部分にさらに切れ目を入れて下側に折り曲げたことにより形成されている。
【００２０】
上記外壁固定金物５は、外壁目地に設けられるハット型ジョイナー４に上記中央部５２が上から被さる形状を有している。そして、上記外壁固定金物５には、当該外壁固定金物５を部材（柱、通気胴縁）９に固定するための釘等の固定部材が装着される孔５３が少なくとも上記中央部１２の両側部に２箇所形成されている。もちろん、上記孔５３を多く形成しておいて必要な孔５３を適宜選択できるようにしておいてもよい。また、図では上記ハット型ジョイナー４に重なるように上記孔５３が位置したが、上記孔５３が上記ハット型ジョイナー４から外れるように位置してもよい。
【００２１】
上記構成においても、左右２枚の外壁板の接合が１個の外壁固定金物５における上記２箇所の接合係止部５１によって行える。そして、当該１個の外壁固定金物５の固定に間柱など幅が狭い部材を利用できるので、外壁板の無駄の発生を軽減することができる。
【００２２】
また、図７に示すように、この発明の他の実施形態の外壁固定金物６は、１枚の金属板をプレス加工によって形成してなるものであり、接合係止部６１が中央部６２を挟んで左右に２箇所形成されている。上記中央部６２は、上記１枚の金属板の一部が凸状に折り曲げ加工されてなる部分である。また、上記接合係止部６１は、外壁板２、３が上下に接合されるように係止するものであり、下側に位置する外壁板２を係止する下係止部６１ａと上側に位置する外壁板３を係止する上係止部６１ｂとからなる。これら下係止部６１ａおよび上係止部６１ｂは上記１枚の金属板の一部に切れ目を入れて上側に折り曲げるとともに、この上側に折り曲げられた部分の一部分にさらに切れ目を入れて下側に折り曲げたことにより形成されている。
【００２３】
上記外壁固定金物６の中央部６２は、上記ハット型ジョイナー４として機能することができる。すなわち、上記中央部６２は、上記ハット型ジョイナー４と略同寸の凸形状を有しており、上記ハット型ジョイナー４を切断した箇所に設けられる。そして、上記外壁固定金物６には、当該外壁固定金物６を部材（柱、通気胴縁）９に固定するための釘等の固定部材が装着される孔６３が少なくとも上記中央部６２に１箇所形成されている。もちろん、上記孔６３を上記中央部６２等に２箇所以上形成しておいて、必要な孔６３を１個または複数個選択できるようにしておくこともできる。
【００２４】
上記構成においても、左右２枚の外壁板の接合が１個の外壁固定金物６における上記２箇所の接合係止部６１によって行える。そして、当該１個の外壁固定金物６の固定に間柱など幅が狭い部材を利用できるので、外壁板の無駄の発生を軽減することができる。
【００２５】
なお、上記外壁固定金物６において、上記中央部６２の両側に孔６３が形成されていてもよいし、また、上記外壁固定金物５において、上記中央部５２に孔５３が形成されていてもよいものである。また、上記中央部１２内のハット型ジョイナー４の凸部上、或いは上記中央部５２、６２上にボンドブレーカーを接着するようにしてもよい。
【００２６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２７】
１      外壁固定金物
１１    接合係止部
１１ａ  下係止部
１１ｂ  上係止部
１２    中央部
１２ａ  第１部位
１２ｂ  第２部位
１３    孔
２      外壁板
３      外壁板
４      ハット型ジョイナー
５      外壁固定金物
５１    接合係止部
５１ａ  下係止部
５１ｂ  上係止部
５２    中央部
５３    孔
６      外壁固定金物
６１    接合係止部
６１ａ  下係止部
６１ｂ  上係止部
６２    中央部
６３    孔
９      部材（柱、通気胴縁）
【図１】
2015021353.tif 000003
【図２】
2015021353.tif 000004
【図３】
2015021353.tif 000005
【図４】
2015021353.tif 000006
【図５】
2015021353.tif 000007
【図６】
2015021353.tif 000008
【図７】
2015021353.tif 000009
【図８】
2015021353.tif 000010